(57)【要約】【課題】  額縁１と額縁用芯材２とを強固に連結し、透光性部材５を挟持し、更に採光部４と額縁の段差を小さくすることで、指を引っ掛けて扉を開閉することによる怪我を抑制する透光性部材５の取り付け構造を得る。【解決手段】採光部４を有する建物用戸において、下方に逆さ凹陥部１３が形成された額縁１と、貫通孔２４を有する額縁固定芯材２と、連結材３と、透光性部材５を備え、前記連結材３が前記貫通孔２４に挿通されるとともに前記逆さ凹陥部１３に嵌合され、前記透光性部材５が、額縁１と、前記貫通孔２４を有する額縁固定芯材２とにより挟持する。前記逆さ凹陥部１３が形成された額縁１の採光部４方向の先端はテーパー面１４を形成する。【選択図】  図５
2020105702.tif 000002
【特許請求の範囲】
【請求項１】
採光部４を有する建物用戸において、
逆さ凹陥部１３が形成された額縁１と、
貫通孔２４を有する額縁固定芯材２と、
連結材３と、
透光性部材５を備え、
前記連結材３が前記貫通孔２４に挿通されるとともに前記逆さ凹陥部１３に嵌合され、前記透光性部材５が、額縁１と、前記貫通孔２４を有する額縁固定芯材２とにより挟持されていることを特徴とする透光性部材５の取り付け構造。
【請求項２】
前記透光性部材５は、前記額縁固定芯材２上に設けた接着剤層２６を介して前記額縁１と挟持されていることを特徴とする請求項１記載の透光性部材５の取り付け構造。
【請求項３】
前記連結材３がダボであることを特徴とする請求項１又は２記載の透光性部材５の取り付け構造。
【請求項４】
前記逆さ凹陥部１３が形成された額縁１の採光部４方向の先端はテーパー面１４であることを特徴とする請求項１〜３いずれか１項記載の透光性部材５の取り付け構造。
【請求項５】
請求項１〜４いずれか１項記載の透光性部材５の取り付け構造を有し、額縁固定芯材２の外側方向に軽量芯材７、木質系芯材８が面一に接合され、表面材６が接着され、前記表面材の額縁１側の端部は前記額縁の鍔部１２により押止されていることを特徴とする建物用戸の構造。
【請求項６】
請求項５記載の建物用戸の構造を有し、周縁にはエッジ材９が接着されている建物用戸。
【発明の詳細な説明】
【技術分野】
【０００１】
本発明は透光性部材の取り付け構造、建物用戸の構造及び建物用戸に関する。
【背景技術】
【０００２】
従来、外部の明かりを取り入れるため採光窓を有する建物用戸が知られており、採光窓は例えばガラスを分割固定枠で挟み込んだ構造が採用されていた。近年では採光窓として透明プラスチック板などの透光材を挟み込んだ構造が採用されている。
【先行技術文献】
【特許文献】
【０００３】
【特許文献１】特開２００８−２１４７号公報
【特許文献２】特開平７−３１７４４７号公報
【発明の開示】
【発明が解決しようとする課題】
【０００４】
しかしながら、固定枠と透光材との挟み込みが充分ではない、固定枠と透光材の段差が大きく、建物用戸の手が届く箇所、具体的に幼児、児童、大人等が手を掛けることが可能な位置に採光窓を設けると、指を掛けて開閉が可能となる反面、怪我をしやすいといった問題があった。
また、額縁を四個の直線状の部材から構成すると角部に隙間が生じて継ぎ目が目立ちやすくなる、また、四隅はＲ（曲面）加工されず角があると取り扱い時に身体にぶつけ怪我をする場合や、他の部材に接触して角が欠け易くなる場合があった。
【課題を解決するための手段】
【０００５】
本発明はかかる状況に鑑み検討されたもので、採光部４を有する建物用戸において、
逆さ凹陥部１３が形成された額縁１と、
貫通孔２４を有する額縁固定芯材２と、
連結材３と、
透光性部材５を備え、
前記連結材３が前記貫通孔２４に挿通されるとともに前記逆さ凹陥部１３に嵌合され、前記透光性部材５が、額縁１と、前記貫通孔２４を有する額縁固定芯材２とにより挟持されていることを特徴とする透光性部材５の取り付け構造である。
【発明の効果】
【０００６】
本願では連結材３により額縁１と額縁用芯材とが強固に連結され、透光性部材５は額縁１の突出部１１と額縁用芯材の段差面２１とにより挟持され、段差面上に接着剤層２６を設けることにより強固に挟持される。更に採光部４と額縁の段差を小さく、また額縁１の採光部４側にテーパー面１４を形成することにより、幼児、児童、大人等が手を掛けることが可能な位置に採光部がある場合、指を引っ掛けて扉を開閉することによる怪我を抑制することができる。
【図面の簡単な説明】
【０００７】
【図１】本発明の建物用戸の正面図。
【図２】透光性部分を示す参考正面図。
【図３】図１中の額縁１部分の透視正面図
【図４】図１中の線Ａ−Ａ−Ｂ−Ｂに沿う構成断面図。
【図５】図４中の線Ｃ−Ｃ−Ｄ−Ｄに沿う分解構成断面図。
【発明を実施するための最良の形態】
【０００８】
以下、本発明について図面に基づいて詳細に説明する。
図１は本発明の建物用戸の正面図であり、図２中の薄墨部分は透光性を有する。本発明に係わる額縁１は平面視円形や、平面視略矩形、平面視菱形など、継ぎ目がなく一連であり、形状については特に制約はない。図１では平面視略正方形で四隅はＲ（曲面）加工されている。Ｒ加工することにより四隅が欠けにくくなり、怪我を防止できる。尚、Ｒは曲率半径であり、額縁１の形状により適宜調整される。尚、本発明の額縁１の材質はＭＤＦ（Ｍｉｄｄｌｅ  Ｄｅｎｓｉｔｙ  Ｆｉｂｅｒｂｏａｒｄ、中密度繊維板）であり表面が塗装されている。
【０００９】
図３は図１中の額縁１部分の透視正面図であり、四辺に各３個設けられた連結材３により嵌合されている。連結材３の個数には特に制約がなく、大きさ、額縁１の形状により適宜調整される。
【００１０】
図４は図１中の線Ａ−Ａ−Ｂ−Ｂに沿う構成断面図であり、透光性部材５は額縁１と額縁固定芯材２に挟持され、額縁１と額縁固定芯材２は連結材３により嵌合されている。額縁１と透光性部材５の段差Ｌは３〜７ｍｍ程度が好ましく、この範囲であれば指を引っ掛けることが難しくなり怪我をしにくい。本発明では額縁１と透光性部材５の段差は５ｍｍである。
【００１１】
額縁固定芯材２の外側には面一で軽量化を図る目的で紙製のハニカムコアやロールコア、アルミの如き金属製のハニカムコア、フェノール樹脂やウレタン樹脂の発泡体などの中空芯材などの軽量芯材７が接合されている。本発明では紙製のハニカムコアを用いている。
【００１２】
更に、軽量芯材７の外側には強度を向上させる目的で木質系芯材８が接合されている。木質系芯材８としては、例えば、合板、パーティクルボード、ＭＤＦ、ＬＶＬ（単板積層材、Ｌａｍｉｎａｔｅｄ  Ｖｅｎｅｅｒ  Ｌｕｍｂｅｒ）、ＯＳＢ（Ｏｒｉｅｎｔｅｄ  Ｓｔｒａｎｄ  Ｂｏａｒｄ）などが挙げられる。本発明ではＬＶＬを用いている。
【００１３】
面一に接合された額縁固定芯材２と軽量芯材７と木質系芯材８の表面には表面材６が接着加工されている。表面材６としては、メラミン樹脂化粧板、ジアリルフタレート樹脂化粧板、ポリエステル化粧板、オレフィン樹脂フィルム、塩化ビニール樹脂シート、天然木化粧材、電子線硬化化粧シートなどが挙げられる。本発明では、厚み０．８ｍｍの耐熱性、耐擦傷性に優れるメラミン樹脂化粧板を用いている。
【００１４】
周縁にはエッジ材９が接着されている。エッジ材としては前述と同様の表面材を用いることができ本発明では厚みが２ｍｍのＡＢＳ樹脂エッジ材を用いている。
【００１５】
図５は図４中の線Ｃ−Ｃ−Ｄ−Ｄに沿う分解構成断面図であり、本発明に係わる額縁１は、下方に逆さ凹陥部１３が底部１３ａを前記額縁１の表面方向に形成され、採光部４側に突出部１１と、突出部１１とは反対側には鍔部１２とを有しており、突出部１１の先端はテーパー面１４が形成されている。突出部１１は透光性部材５を押止し、鍔部１２は表面材６を押止する機能を有する。段差Ｌを前述の如く小さくし、テーパー面１４とすることにより指が額縁に掛かりづらくなっている。特に額縁１とテーパー面１４とが成す角度θは３０〜６０°が望ましい。
【００１６】
本発明に係わる額縁固定芯材２は段差面２１と、上面２２と、段差面２１の一部を貫通する貫通孔２４を有し、段差面２１の先方は透光性部材５を支承し、上面２２は表面材６の一部を支承する機能を有し、貫通孔２４には連結材３が挿通される。
【００１７】
額縁１と額縁固定芯材２は、貫通孔２４を通して連結材３が逆さ凹陥部１３に嵌合され、額縁１と額縁固定芯材２とが強固に連結される。本発明においては連結材３には木製ダボを用いている。ダボは木製ダボ、金属性ダボを問わないが、木製ダボを使用することで、額縁１と透光性部材５を固定するときに垂直になりやすくしている。これは額縁１と額縁固定芯材２の貫通孔２４が真直ぐはないことがあり、木製ダボは弾性がありこれを現場にあわせて強制できる。
【００１８】
透光性部材５は、額縁１の突出部１１と、額縁１の突出部１１と対峠し貫通孔２４を有する額縁固定芯材２の段差面２１の一部２５の上に設けられた接着剤層２６を介して挟持され、段差面２１の一部２５は透光性部材５を支承する機能を有する。表裏の透光性部材５の間は空間である。透光性部材５としてはガラス板、アクリル板、ポリカーボネート板が挙げられる。
【００１９】
本発明では厚み４ｍｍの透明ポリカーボネート板が固定されている。額縁固定芯材２の段差面２１の一部２５の上に接着剤層２６を設けることにより透光性部材５の固定を強固なものとなっている。
【符号の説明】
【００２０】
１      額縁
１１    突出部
１２    鍔部
１３    逆さ凹陥部
１３ａ  逆さ凹陥部の底部
１４    テーパー面
２      額縁固定芯材
２１    段差面
２２    上面
２４    貫通孔
２５    段差面２１の一部
２６    接着剤層
３      連結材
４      採光部
５      透光性部材
６      表面材
７      軽量芯材
８      木質系芯材
９      エッジ材
１００  建物用戸
Ｌ      額縁と透光性部材との段差
θ      額縁１とテーパー面１４とが成す角度
【図１】
2020105702.tif 000003
【図２】
2020105702.tif 000004
【図３】
2020105702.tif 000005
【図４】
2020105702.tif 000006
【図５】
2020105702.tif 000007
【手続補正書】
【提出日】平成30年12月26日(2018.12.26)
【手続補正１】
【補正対象書類名】図面
【補正対象項目名】図２
【補正方法】変更
【補正の内容】
【図２】
2020105702.tif 000008